(57)【要約】【課題】  注入孔の周りに段差がある液晶素子を封孔材で封孔したところ長期信頼性で不具合が生じた。【解決手段】シール突起部１１ａが上下の基板１５，１３の間だけに存在し延出部１４の上面には存在しないため、封孔材１８とシール材界面の密着力が弱い部分が基板内に留まり、基板外では封孔材１８が延出部１４の基板面と強く密着できた。【選択図】図２
2008129330.tif 000002
【特許請求の範囲】
【請求項１】
対向する一対の基板間をシール材により囲んで形成した空間に液晶を注入するための注入孔が基板の延出部側にある液晶素子において、
シール材からなり、前記注入孔の両端から前記延出部に向かって突出したシール突起部と、
前記延出部の上面に塗布され、一部が前記注入孔の内部に浸入した封孔材と、
を有し、
前記シール突起部が前記基板間にのみ存在し、前記延出部の上面に無いことを特徴とする液晶素子。
【請求項２】
前記延出部の上面にあった前記シール突起部が除去されたことにより、前記シール突起部が前記基板間にのみ存在し、前記延出部の上面に無いことを特徴とする請求項１に記載の液晶素子。
【請求項３】
前記封孔材が、第１の封孔材と第２の封孔材からなること特徴とする請求項１乃至２のいずれか１つに記載の液晶素子。
【請求項４】
前記延出部の上面が粗面であることを特徴とする請求項１乃至３のいずれか１つに記載の液晶素子。
【発明の詳細な説明】
【技術分野】
【０００１】
この発明は、２枚の基板とシールによって形成された空間にシール開口部（以下注入孔と称する）から液晶を注入する液晶素子に対し、その注入孔を封止するための液晶素子の封孔構造に関わる。
【背景技術】
【０００２】
光透過制御用の液晶素子は、携帯電話器から大型液晶テレビに至る様々な表示体として実用化されているほか、最近では光ディスクドライブ装置のなかの収差補正素子としても使われるようになった。このような液晶素子は、数マイクロメータ程度の間隙を持って対向した２枚の透明基板の間隙に液晶を挟み込み、透明基板の周辺部をシールで封止している。液晶を挟み込むため広く用いれている方法（以下真空注入法と称する）は、予めシールを介して２枚の透明基板を貼りあわせておき、次に透明基板とシールから形成される空間を真空にし、やはり予め設けてあった注入孔を液晶溜に浸し、外部を外気圧に戻し、外部とこの空間との圧力差を利用して液晶を注入している。この真空注入法では最後に注入孔を接着剤で封孔する。
【０００３】
注入孔と封孔材の塗布情況を図６を参考にしながら説明する。図６において、（ａ）と（ｂ）は注入孔側の基板端面が上下で揃っている場合の液晶素子の斜視図と平面図であり、（ｃ）と（ｄ）は注入孔側の基板端面が揃っておらず注入孔周りで段差を形成している液晶素子の斜視図と平面図である。
【０００４】
注入孔側の基板端面が揃った構造は工程が短く注入時の液晶使用効率が良い。図６（ａ），（ｂ）において、上基板６０と下基板６１はシール６２に形成された注入孔の存在する基板端面がそろっている一方、この基板端面と対向する側では上基板６０に対し下基板６１が延出している。この延出部には、シール６２により囲まれた平面領域に形成された液晶素子の駆動電極に、外部回路から駆動信号を伝達させる接続用電極が設けられている（図示せず）。封孔材６３は注入孔を塞ぐように塗布され端面から盛り上がっており、一部は注入孔に浸入している。注入孔にはシール辺に対し外側に直角に曲がったシール突起部６４がある。このシール突起部６４は封孔後の空気の浸入や液晶の漏れを防いでいる。なおシール６２は上基板６０の外周のやや内側で、上基板６０と下基板６１の間隙を線状に取り囲んでいるが、上基板６０越しに見ているので点線で示した。またシール６２は、図６（ｂ）の下側に開口部を有し、これが液晶の注入孔となる。（以下同様）
【０００５】
注入孔側にも接続用の電極を設けたい場合や、注入孔側の端面を基準面としたい場合など様々な理由で注入孔側に段差を形成することがある。図６（ｃ），（ｄ）において、下基板６６は注入孔側にも下基板６６の延出部があり、上基板６５の端面とこの延出部から形成される角部に注入孔が存在する。（ａ）と同様に注入孔と対向する側にも下基板６６の延出部がある。封孔材６８は注入孔を塞ぐように塗布され、延出部で盛り上がっており、一部は注入孔に浸入している。上基板６５の切り取り精度を考慮して注入孔のシール突起部６９の一部は下基板６６の延出部にはみ出している。なお下基板６６の注入孔側の端面は、封孔材が付着していないので精度良く加工すれば基準面として使える。
【０００６】
図６（ｃ），（ｄ）で示した注入孔部に段差を有する液晶素子は、段差を形成する前に液晶を注入しても、段差を形成した後に液晶を注入しても良い。例えば文献１には、「電極が形成されている２枚の基板の液晶注入孔側の端面が揃っていない液晶表示素子において、２枚の基板を貼り合わせるためのシール材を液晶注入の注入孔の部分を長くして、基板の端部まで延ばした形にし、２枚の基板間に液晶注入を行い、その後一方の基板を所定
の位置で切断して２枚の基板の液晶注入孔側の端面が揃っていない形状（段差）とし、最後に液晶材料注入孔の封止を行った。」ことが記載されている。なお文献１は、シール材で壁をつくり注入時の液晶の消費削減を目的としていた。
【０００７】
また封孔情況が悪いと、注入孔を通して液晶が漏れ出したり、外部から異物が浸入したりすることがある。例えば文献２では、「注入孔にも配向膜を設け液晶注入時に液晶が基板上の界面活性材と触れることによって起こる不具合を避けながら、吸湿性のある配向膜を露出させないように延出部にはみ出した配向膜を封孔材で覆い、封孔材が基板面と接着し充分な密着力を確保することで水分の浸入を防いだ。」ということが記載されている。
【特許文献１】特許第２７７６０２８号公報
【特許文献２】特許第３２２９１７２号公報
【発明の開示】
【発明が解決しようとする課題】
【０００８】
注入孔の周りに段差がある液晶素子を封孔材で封孔したところ、水分の浸入が原因と見られる電気抵抗の低下や、液晶の漏れ出しが起きてしまった。文献１は、注入時の液晶消費削減を目的にしているので、前述のような長期信頼性に関わるような事項には言及していない。また今回、印刷法で指定された基板領域に配向膜を形成していたことは文献２の情況と似ていたが、注入孔付近には配向膜がなかったので文献２で示された手法ではこの不具合は解決できない。
【０００９】
そこで本発明の目的は、注入孔の周りの長期信頼性が確保できる液晶素子を提供することである。
【課題を解決するための手段】
【００１０】
対向する一対の基板間をシール材により囲んで形成した空間に液晶を注入するための注入孔が基板の延出部側にある液晶素子において、シール材からなり注入孔の両端から前記延出部に向かって突出したシール突起部と、延出部の上面に塗布され一部が注入孔の内部に浸入した封孔材とを有し、シール突起部が基板間にのみ存在し延出部の上面に無いことを特徴とする。
【００１１】
延出部の上面にあったシール突起部が除去されたことにより、シール突起部が基板間にのみ存在し延出部の上面に無いことを特徴とする。
【００１２】
封孔材が第１の封孔材と第２の封孔材からなること特徴とする。
【００１３】
延出部の上面が粗面であることを特徴とする。
【００１４】
注入孔の周りに封孔材を塗布しただけでは、十分な長期信頼性を確保することができなかった。これは次の二つの原因が相乗したものである。第１の原因は、封孔材とシール材の密着力が封孔材と基板面との密着力より弱いことである。これに加え、第２の原因として、封孔時に封孔材が注入孔へ流れ込むため、シール突起部ないしその先端付近を回りこむ封孔材の流速が注入孔の中央付近を流れる封孔材の流速より早くなっているためシール突起部周辺で封孔材の少ない部分（剥がれ等）が形成された。これに対しシール突起部を基板間にのみ存在させ延出部の上面には存在させないようにすると、流動によって生じた封孔材の欠損部が基板間に納まり、外気に触れる延出部では封孔材が基板面とだけ接着しているので長期信頼性が確保できる。
【００１５】
ガラスの外形精度やシール印刷精度の関係で延出部の上面に現れたシール突起部は、これが除去されると前述のように信頼性を確保できる。
【００１６】
第１の封孔材の硬化後、延出部上の第１の封孔材を除去し、注入孔に残った第１の封孔材の端面を覆うように第２の封孔材を塗布する場合、第２の封孔材はシール材との密着力を度外視し基板面との密着力の良い材料を選択できるので長期信頼性確保につながる。
【００１７】
延出部の上面が粗面であると封孔材が強く密着できるので長期信頼性が向上する。
【発明の効果】
【００１８】
この発明の液晶素子の製造方法は、上記のような構成および作用を有しているので、封孔材とシール材との間に存在する密着力の弱さや剥がれによる異物の浸入や液晶物資の漏洩に対応できているので、長期信頼性を確保することが可能となった。
【発明を実施するための最良の形態】
【００１９】
以下、図面を参照しながらこの発明の実施の形態について詳細に説明する。
【００２０】
（実施例１）
図１と図２で示した実施例１は、液晶注入前に延出部上のシール突起を除去する液晶素子の製造方法である。図１は重ね合わせまで済んだマザ−基板からの封孔に至るまでの工程図であり、図２は封孔材を硬化させた後の注入孔のシール突起部を縦断する断面図である。
【００２１】
図１（ａ）は、重ね合わせあわされた２枚のマザー基板１０がシール材で接着された状態を示している。マザー基板１０の対向し合う面は、スペーサにより一定の間隙を有しており、個々の液晶素子の電極がシール材１１に対応する領域に形成されている。なお図中、個々の液晶素子に対応するシール材１１をマザー基板１０上で４行４列のマトリクスで配列させたが、実際の収差補正用の液晶素子ではマザー基板上に数１００個配列している。シール材１１は、２枚のマザー基板１０の一方に印刷され、２枚のマザー基板１０を重ね合わせたのち加圧状態で焼成され硬化する。
【００２２】
図１（ｂ）は、マザー基板１０から横一列につながった液晶素子（以下短冊と称する）を切り出す工程が含まれた一連の工程を示している。この工程は以下の手順をとる。マザー基板１０にキズ（以下スクライブ線と称する）をつけ、このスクライブ線に圧力をかけることでマザー基板１０を割り短冊１２を切り出す。
【００２３】
図１（ｃ）は、延出部を形成する工程が含まれた一連の工程を示している。この工程は以下の手順をとる。上基板１５にスクライブ線をいれ、上基板１５だけを割り、不要部を取り去ると下基板１３が現れ、注入孔側の延出部１４と注入孔と反対側の延出部１６が形成される。
【００２４】
図１（ｄ）は、延出部に残っているシール材を除去する工程が含まれた一連の工程を示している。この工程は以下の手順をとる。延出部１４上の存在するシール材からなる突起をナイフによって削り落とす。
【００２５】
図１（ｅ）は、短冊１２上の各素子領域に液晶１７を注入する工程が含まれた一連の工程を示している。この工程は以下の手順をとる。短冊１２と液晶溜を真空チャンバーに入れ、チャンバー内を真空にする。短冊１２の注入孔を液晶溜に浸し、チャンバー内を大気圧に戻すと、上下の基板１５，１３とシール材１１によって作られた空間に液晶１７が入り込む。
【００２６】
図１（ｆ）は、短冊１２上の各素子領域の注入孔に封孔材１８を塗布する工程が含まれ
た一連の工程を示している。この工程は以下の手順をとる。液晶１７が注入された短冊１２を真空チャンバーからとりだし、延出部１４に付着している液晶をふき取り、ディスペンサーで各注入孔に封孔材１８を塗布する。
【００２７】
図１（ｇ）は、封孔材１８を注入孔に浸入させたのち硬化させる工程が含まれた一連の工程を示している。この工程は以下の手順をとる。液晶１７が充填された空間を冷却し液晶１７を収縮させ、封孔材１８を注入孔に引き込む。図中の１８ａは注入孔に浸入した封孔材である。封孔材１８、１８ａに紫外線を照射し封孔材を硬化させる。  
【００２８】
基準面を作る場合は、延出部１４の一部を延出方向とは直角にダイシングによって切り落とす。延出部１４を狭くしなければならない場合、ダイシング時に封孔材１８の一部が切りとられたとしても、シール突起部が延出部１４に存在しないので長期信頼性を損なうことはない。最後に短冊１２にスクライブ線を入れ各液晶素子を分離する。
【００２９】
図２により、液晶素子の注入孔の状態を説明する。（ａ）はシール突起部を縦断する断面図であり、（ｂ）は注入孔の中央を縦断する断面図である。なお同一の部材は図１と図２で同じ番号で示す。（ａ）において、上基板１５と下基板１３の６μｍの間隙には液晶１７と削り残されたシール材のシール突起部１１ｂが挟まれている。下基板１３の延出部ではシール突起部のシール材は除去されており、封孔材１８が残ったシール突起部１１ｂの端面と上基板１５の端面、および下基板１３の延出部の基板面に接着している。（ｂ）において、上基板１５と下基板１３の間には、液晶１７と注入孔に浸入した封孔材１８が挟まれており、延出部では封孔材１８が上基板１５の端面と下基板１３の延出部の基板面に接着している。
【００３０】
（実施例２）
図３と図４で示した実施例２は、注入孔に封孔材を塗布する工程が第１の封孔材を塗布する工程と第２の封孔材を塗布する工程からなり、第２の封孔材を塗布する工程の前に注入孔の周辺部を洗浄する工程を有する液晶素子の製造方法である。図３は重ね合わせまで済んだマザ−基板から第２の封孔に至るまでの工程図であり、図４は第２の封孔後の注入孔周りを縦断する断面図である。なお実施例１と同一の部材に対し、図３，図４と図１，図２は同じ番号で示す。このとき封孔材１８は第１の封孔材１８に対応する。また図３の（ａ）から（ｃ）までの工程は、図１で示した実施例１の（ａ）から（ｃ）までの工程と同じである。
【００３１】
図３（ｄ）は、短冊１２上の各素子領域に液晶１７を注入する工程が含まれた一連の工程を示している。この工程は以下の手順となる。短冊１２と液晶溜を真空チャンバーに入れ、チャンバー内を真空にする。短冊１２の注入孔を液晶溜に浸し、チャンバー内を大気圧に戻すと、上下の基板１５，１３とシール材１１によって作られた空間に液晶１７が入り込む。
【００３２】
図３（ｅ）は、短冊１２上の各素子領域の注入孔に第１の封孔材１８を塗布する工程が含まれた一連の工程を示している。この工程は以下の手順となる。液晶１７が注入された短冊１２を真空チャンバーからとりだし、延出部１４に付着している液晶をふき取り、ディスペンサーで各注入孔に第１の封孔材１８を塗布する。
【００３３】
図３（ｆ）は、第１の封孔材１８を注入孔に浸入させ硬化させ後、延出部に残っているシール材と第１の封孔材を除去する工程が含まれた一連の工程を示している。この工程は以下の手順となる。実施例１と同様に、液晶１７が充填された空間を冷却し液晶１７を収縮させ第１の封孔材１８を注入孔に引き込み、第１の封孔材１８、１８ａに紫外線を照射し硬化させる。その後、延出部１４に残っている第１の封孔材１８をシール突起部と共に
ナイフで削り取る。  
【００３４】
図３（ｇ）は、短冊１２上の各素子毎に、第１の封孔材１８を覆うようにさらに第２の封孔材１９を塗布する工程が含まれた一連の工程を示している。この工程は以下の手順となる。延出部１４に残っているシール突起部と第１の封孔材１８が除去されたら、延出部１４と注入孔側の上基板１５の端面を洗浄し（洗浄工程は図示せず）、ここに付着している液晶やシール材、その他の異物を除去する。その後ディスペンサーで各液晶素子の注入孔における第１の封孔材１８ａの端面と注入孔周りの基板面に第２の封孔材１９を塗布し、紫外線により封孔材１９を硬化させる。
【００３５】
図４により、液晶素子の注入孔の状態を説明する。（ａ）はシール突起部を縦断する断面図であり、（ｂ）は注入孔の中央を縦断する断面図である。（ａ）において、上基板１５と下基板１３の６μｍの間隙には液晶１７と削り残されたシール材のシール突起部１１ｂが挟まれている。下基板１３の延出部ではシール突起部のシール材は除去されており、第２の封孔材１９が残ったシール突起部１１ｂの端面と上基板１５の端面、および下基板１３の延出部の基板面に接着している。（ｂ）において、上基板１５と下基板１３の間には、液晶１７と注入孔に浸入した封孔材１８が挟まれており、延出部では第２の封孔材１９が注入孔内に残ったシール突起部１８ａの端面と上基板１５の端面、および下基板１３の延出部の上基板１５に接着している。
【００３６】
基準面を作る場合は、実施例１と同様に延出部１４の一部を延出方向とは直角にダイシングによって切り落とす。延出部１４を狭くしなければならない場合、ダイシング時に第２の封孔材１９の一部が切りとられたとしても、シール突起部が延出部１４に存在しないので長期信頼性を損なうことはない。最後に短冊１２にスクライブ線を入れ各液晶素子を分離する。
【００３７】
（実施例３）
図５で示した実施例３は、実施例２の注入孔の外側の第１の封孔材を除去する工程がナイフからダイシングに変わったものである。図５は注入孔のシール突起部を縦断する断面図であり、第１の封孔材を硬化させてから基準面を作成までの工程を示している。なお実施例１および実施例２と同一の部材は図１、図２と同じ番号で示す。また図５の工程（ｅ），（ｆ）、（ｇ）は図３の工程（ｅ），（ｆ），（ｇ）と対応関係にあり、図５（ｈ）は基準面作成工程が含まれた一連の工程を示している。
【００３８】
図５（ｅ）は、第１の封孔材１８を塗布する工程が含まれた一連の工程において、第１の封孔材１８の硬化が終了した状態を示している。上基板１５と下基板１３の６μｍの間隙には液晶１７が充填されている。シール材からなるシール突起部１１ａは上基板１５から延出部に１００〜２００μｍ程度はみ出している。第１の封孔材１８は、シール突起部１１ａの上面と上基板１５の端面に接着している。なお第１の封孔材１８は、塗布後に注入孔に引き込まれるときの流動で必ずしもシール突起部１１ａを覆うとは保証できないので、悪い情況を想定しシール突起部１１ａの一部が第１の封孔材１８から露出するよう図示している。
【００３９】
図５（ｆ）は、封入孔の外側の第１の封孔材１８を除去する工程が含まれた一連の工程において、ダイシングで第１の封孔材１８を削り取った情況を示している。この工程は以下の手順となる。第１の封孔材１８を注入孔に浸み込ませ硬化させた後、上基板１５の端面２１と延出部の上面２２をそれぞれ７５μｍずつダイシングブレードで削り粗面を形成する。ダイシングブレードの厚みは１５０ミクロンなので、延出部１４の延出方向と直角（紙面に垂直な方向）に複数の溝を（７５ミクロンの切り込み）を入れる。このとき延出部に残っていた第１の封孔材１８とシール突起部１１ａ、および注入孔内にあった第１の
封孔材１８ａ（図示せず）とシール突起部１１ａの一部も削り取られる。なお図示していないが、注入孔（シール突起部１１ａと重なる位置）に第１の封孔材１８ａが残っている。
【００４０】
図５（ｇ）は、第１の封孔材１８を覆うようにさらに第２の封孔材１９を塗布する工程が含まれた一連の工程において、第２の封孔材１９が硬化した情況を示している。第２の封孔材１９は、シール突起部１１ａの端面、上基板１５の端面２１、延出部の上面２２と接着している。図示していないが、第２の封孔材１９は注入孔内に残った第１の封孔材１８ａの端面とも接着している。
【００４１】
図５（ｈ）は、基準面作成工程が含まれた一連の工程において、基準面２３を作成し終わった情況を示している。延出部１４の一部を延出方向とは直角にダイシングによって基板を切り落とし基準面２３を作成する。この結果延出部の幅は０．５ｍｍとなり、ダイシング時に第２の封孔材１９の一部も切りとられる。最後に短冊１２にスクライブ線を入れ各液晶素子を分離する。
【００４２】
前述の実施例では延出部に残っているシール突起部を除去のにナイフまたはダイシングを使用していたが、溶剤を使ったりレーザー光線で蒸発させても良い。実施例１，２，３はシール突起部が延出部にはみ出していたが、重ね合わせ時に様々な公差を盛り込んでシール突起部がはみ出さないようにしても良い。
【００４３】
なお第１の封孔材１８と第２の封孔材１９は同一の材料であっても、別の材料であってもかまわない。第２の封孔材１９は液晶に触れることがほとんどないため液晶との相性に配慮しなくて良いので選択肢が広がる。
【００４４】
実施例１，２，３とも延出部１４を作成してから液晶１７を注入していたが、液晶を注入してから延出部を作成してもよい。この場合は注入孔のシール突起部を延出側基板の端部まで延ばしておき、このシール突起部間から液晶の注入を行い、その後延出部を形成する。その後、第１の封孔を行い、延出部のシール突起部と第１の封孔材を除去してから第２の封孔材を塗布することが好ましい。
【図面の簡単な説明】
【００４５】
【図１】本発明の実施例１の液晶素子の工程図である。
【図２】本発明の実施例１の液晶素子のシール材のシール突起部を縦断する断面図である。
【図３】本発明の実施例２の液晶素子の工程図である。
【図４】本発明の実施例２の液晶素子の注入孔周りを縦断する断面図である。
【図５】本発明の実施例３の液晶素子の注入孔周りの工程毎の断面図である。
【図６】従来例の液晶素子を注入孔側から見た斜視図と平面図である。
【符号の説明】
【００４６】
１０              マザー基板
１１，６２，６７  シール材
１３，６１，６６  下基板
１４，１６        延出部
１５，６０，６５  上基板
１７              液晶
１８              封孔材  または  第１の封孔材
１９              第２の封孔材
２１              上基板の端面
２２              延出部の上面
２３              基準面
６３，６８        封孔材
６４，６９        注入孔のシール突起部
【図１】
2008129330.tif 000003
【図２】
2008129330.tif 000004
【図３】
2008129330.tif 000005
【図４】
2008129330.tif 000006
【図５】
2008129330.tif 000007
【図６】
2008129330.tif 000008